(57)【要約】【課題】スタンド装置がベースに対して如何なる回転位置であっても、フットペダルの操作が可能な医療機器用スタンド装置のベース構造を提供する。【解決手段】ベース３の四方の側面８の全てにフットペダル９がそれぞれ設けられているため、露出している１つのフットペダル９を足で操作すれば、フットペダル９の回転力は切替機構１６に伝達され、全てのキャスタ１２はその回転力の回転方向に応じて確実に転動フリーと転動ロックが切替えられる。【選択図】        図３
2019166196.tif 000002
【特許請求の範囲】
【請求項１】
四隅にフロアに対して転動自在なキャスタを有するベースを備え、該ベースの上面中央部に医療機器支持用で且つ一部がベースよりも外側に張り出した形状のスタンド装置が水平方向で回転自在に支持され、ベースの側面にキャスタの転動フリーと転動ロックを切替えるフットペダルが突出状態で設けられている医療機器用スタンド装置のベース構造であって、
前記ベースの側面におけるキャスタ位置以外の四方位置にそれぞれフットペダルを設け、前記ベースの内部に全フットペダルと連結されて各フットペダルの回転力が伝達される切替機構を設け、
該切替機構がいずれか１つのフットペダルから伝達される回転力の回転方向に応じて全てのキャスタの転動フリーと転動ロックを切替えることを特徴とする医療機器用スタンド装置のベース構造。
【請求項２】
ベースにおけるフットペダルを設けた側面が、ベースの中央部へ向けて凹んだ湾曲面となっていることを特徴とする請求項１記載の医療機器用スタンド装置のベース構造。
【発明の詳細な説明】
【技術分野】
【０００１】
本発明は医療機器用スタンド装置のベース構造に関する。
【背景技術】
【０００２】
手術顕微鏡や手術用カメラなどの医療機器は、フロアに設置されたスタンド装置により空中に吊り下げた状態で支持されている。スタンド装置はフロアに設置されたベースの上面中央部に回転自在に支持され、医療機器を吊り下げた状態のまま任意の方向に移動させることができると共にその位置で回転させることもできる。スタンド装置は一般にバランスをとるため医療機器を吊り下げる方とは逆側に張り出した形状をしており、張り出した側の一部はベースよりも外側に位置している。
【０００３】
ベースには、スタンド装置を立てた状態で保持する機能と、スタンド装置をフロアに対して移動・固定させる機能の２つの機能が求められる。そのためベースの四隅にキャスタが設けられている。キャスタは移動するために水平軸を中心に転動自在であり且つ転動方向を変更するために垂直軸を中心に旋回自在である。
【０００４】
ベースの側面には１つのフットペダルが突出した状態で設けられている。フットペダルを踏んで回転力をキャスタに伝達し、その回転力の回転方向に応じてキャスタの転動フリー状態と転動ロック状態を切替えられるようになっている（例えば、特許文献１参照）。
【先行技術文献】
【特許文献】
【０００５】
【特許文献１】特開２０１６−２０２５９９号公報
【発明の概要】
【発明が解決しようとする課題】
【０００６】
しかしながら、このような関連技術にあっては、スタンド装置の一部がベースよりも外側に張り出した形状で、そのスタンド装置がベースの上面中央に水平方向で回転自在に支持されているため、スタンド装置の回転方向での位置によっては、ベースから張り出したスタンド装置の一部がフットペダルの真上に位置してフットペダルを覆い隠すため、フットペダルを踏む操作ができなくなるおそれがある。
【０００７】
本発明は、このような関連技術に着目してなされたものであり、スタンド装置がベースに対して如何なる回転位置であっても、フットペダルの操作が可能な医療機器用スタンド装置のベース構造を提供することを目的としている。
【課題を解決するための手段】
【０００８】
本発明の第１の技術的側面によれば、四隅にフロアに対して転動自在なキャスタを有するベースを備え、該ベースの上面中央部に医療機器支持用で且つ一部がベースよりも外側に張り出した形状のスタンド装置が水平方向で回転自在に支持され、ベースの側面にキャスタの転動フリーと転動ロックを切替えるフットペダルが突出状態で設けられている医療機器用スタンド装置のベース構造であって、前記ベースの側面におけるキャスタ位置以外の四方位置にそれぞれフットペダルを設け、前記ベースの内部に全フットペダルと連結されて各フットペダルの回転力が伝達される切替機構を設け、該切替機構がいずれか１つのフットペダルから伝達される回転力の回転方向に応じて全てのキャスタの転動フリーと転動ロックを切替えることを特徴とする。
【０００９】
本発明の第２の技術的側面によれば、ベースにおけるフットペダルを設けた側面が、ベースの中央部へ向けて凹んだ湾曲面となっていることを特徴とする。
【発明の効果】
【００１０】
本発明の第１の技術的側面によれば、ベースの四方の側面の全てにフットペダルがそれぞれ設けられているため、スタンド装置の一部がベースの外側に張り出す形状であっても、全てのフットペダルがスタンド装置のその一部により覆い隠されることはない。従って露出している１つのフットペダルを足で操作すれば、フットペダルの回転力は切替機構に伝達され、全てのキャスタはその回転力の回転方向に応じて確実に転動フリーと転動ロックが切替えられる。
【００１１】
本発明の第２の技術的側面によれば、フットペダルをベースの中央部へ向けて凹んだ湾曲面に設けているため、フットペダルの外側への突出量が減り、ベースの周囲のスペースを広く確保することができる。
【図面の簡単な説明】
【００１２】
【図１】ベースに支持されたスタンド装置を示す斜視図。
【図２】ベースを示す全体斜視図。
【図３】ベースの内部構造を示す下面図。
【図４】キャスタの取付構造を示す分解斜視図。
【発明を実施するための形態】
【００１３】
図１〜図４は本発明の好適な実施形態を示す図である。
【００１４】
スタンド装置１は医療機器としての手術顕微鏡２を支持するためのものである。スタンド装置１は、ベース３の上面中央部４に水平方向で回転自在に支持されたスタンド本体５と、スタンド本体５から一方側へ延びるアーム６とから構成されている。手術顕微鏡２はアーム６の先端に支持され、スタンド本体５ごと手術顕微鏡２の位置を回転方向に移動させることができる。またアーム６ごと手術顕微鏡２の位置を上下方向に移動させることもできる。スタンド本体５はアーム６とは反対側に張り出した形状をしており、その一部はベース３よりも外側に位置している。
【００１５】
ベース３は概略四角形状で、スタンド装置１が支持される上面中央部４が上側から凹設された形状である。ベース３はその上面中央部４を中心にして放射方向へ突出する４つの角部を有し、角部はカバー７により形成されている。ベース３において隣り合うカバー７の間の側面８は上面中央部４に向けて凹んだ湾曲面となっており、その中央に概略蝶ネジ形状のフットペダル９が突出した状態で設けられている。フットペダル９が凹んだ湾曲面の側面８に設けられているため、フットペダル９の外側へ突出量が減り、ベース３の周囲のスペースを広く確保することができる。
【００１６】
ベース３は金属鋳物製で下側が開放した逆容器形状をしている。ベース３の角部のカバー７に覆われた部分には側面から断面六角形の回転軸１０が突出しており、底面には切欠部１１が形成されている。
【００１７】
切欠部１１にはキャスタ１２の垂直軸１３が挿入されて固定される。キャスタ１２は双輪タイプでフロア上で転動自在であると共に、垂直軸１３を中心に旋回して向きを変えることができる。
【００１８】
キャスタ１２の垂直軸１３には回転軸１０が挿入される。そして回転軸１０からの回転力が垂直軸１３の内部構造に伝達されて、キャスタ１２の転動フリー状態と転動ロック状態を切り替えることができる。回転軸１０の回転方向と回転力はフットペダル９から与えられる。
【００１９】
ベース３の四方に設けられているフットペダル９のシャフト１４はそれぞれ軸受１５を介してベース３の中央部に設けられた切替機構１６に連結されている。切替機構１６は凹設された上面中央部４の周囲を取り巻くリング状に形成され、各フットペダル９のシャフト１４の先端が切替機構１６の内部のリングギア（図示省略）と係合している。キャスタ１２の垂直軸１３に挿入される回転軸１０の他端もベース３の角部から中央へ向けて延び、その先端が切替機構１６に連結され、内部のリングギアと係合している。
【００２０】
そしていずれか１つのフットペダル９の一方の端部を踏んで、フットペダル９のシャフト１４を一方のロック方向へ回転させれば、そのロック方向での回転力により切替機構１６の内部のリングギアがロック方向へ回転して、切替機構１６と係合している全ての回転軸１０がそのロック方向に応じた方向へ回転する。そのため回転軸１０と垂直軸１３で係合している全てのキャスタ１２が転動ロック状態となり、ベース３はその位置に固定される。
【００２１】
逆に、フットペダル９の反対側の端部を踏むと、シャフト１４がフリー方向に回転し、それにより切替機構１６の内部のリングギアがフリー方向に回転して、回転軸１０も同様にフリー方向に回転する。そのためキャスタ１２は転動フリー状態となり、ベース３をスタンド装置１ごと任意の位置に移動させることができる。
【００２２】
このようにいずれか１つのフットペダル９を操作するだけで、全てのキャスタ１２の転動ロックと転動フリーを切替えることができる。従って、スタンド本体５の一部がベース３の外側に張り出す形状で、その張り出した一部がちょうどいずれか１つのフットペダル９を覆い隠すことになっても、他の３つのフットペダル９は露出したままのため、露出しているフットペダル９の中で一番操作しやすいものを操作すれば良い。
【符号の説明】
【００２３】
１  スタンド装置
２  手術顕微鏡（医療機器）
３  ベース
４  上面中央部
８  側面
９  フットペダル
１２  キャスタ
１３  垂直軸
１６  切替機構
【図１】
2019166196.tif 000003
【図２】
2019166196.tif 000004
【図３】
2019166196.tif 000005
【図４】
2019166196.tif 000006